(57)【特許請求の範囲】
【請求項１】
育苗箱２を始端部より終端部に移送する移送台１上に、上部前側に設けた種子供給ホッパー７８と、該種子供給ホッパー７８の下方位置に設けた横軸繰出ロール８４を有する種子供給装置７５を設け、前記横軸繰出ロール８４の外周面には、母線方向に平行な横条溝形状の繰出凹部８５を所望の間隔をおいて全周に形成し、母線方向に対して交差方向のスリット８６を所定間隔をおいて全周に設け、該スリット８６には掻出用ナイフ８７を嵌合させ、前記横軸繰出ロール８４の後面には繰出凹部８５に嵌合した種子を上方位置から下方位置まで誘導する種子誘導カバー９９を設け、前記種子供給ホッパー７８の下部は漏斗状に後側誘導板７９と前側誘導板８０により倒八状に形成し、前記後側誘導板７９の下端は、前側誘導板８０に対して所定間隔をおいて設けてホッパー供給口８１を形成し、前記前側誘導板８０の先端は横軸繰出ロール８４の外周面に所定間隔をおいて接近させ、前側誘導板８０の上面と横軸繰出ロール８４の外周面とにより形成した空間を、前記繰出凹部８５に種子が嵌合する種子溜り部８９に形成し、該種子溜り部８９には開口部９０を形成し、該開口部９０を開閉するシャッタ９１を設け、前記開口部９０の下方には開口部９０から排出された残留種子を、前記横軸繰出ロール８４の下方の移送台１に設けた種子回収容器９８に誘導する排出誘導体９３を設けた播種装置。
【請求項２】
請求項１において、前記開口部９０は前記前側誘導板８０の先端と横軸繰出ロール８４の外周面との間に形成した播種装置。
【請求項３】
請求項１または請求項２において、前記シャッタ９１は、横軸繰出ロール８４に対して遠近調節自在であって前記前側誘導板８０の下面に着脱自在に取付ノブ９２により取付けた播種装置。
【請求項４】
請求項１または請求項２または請求項３において、前記排出誘導体９３は、板部材により前記種子供給装置７５の左右の側板７７の間の全幅一杯に取付け、排出誘導体９３は、その上部を上方に至るに従い前側となる上側傾斜部９４に形成し、該上側傾斜部９４の下部には横軸繰出ロール８４の外周面に対して所定の間隔おいて位置する縦板部９５を形成し、該縦板部９５と横軸繰出ロール８４の外周面の間に誘導路９６を形成し、前記縦板部９５の下部は後下がりの下側傾斜部９７に形成した播種装置。
【請求項５】
請求項４において、前記上側傾斜部９４の上端は、前記開口部９０から落下する種子を誘導路９６に誘導しうる範囲で可及的に前記前側誘導板８０より離して配置した播種装置。
【請求項６】
請求項１または請求項２または請求項３または請求項４または請求項５において、横軸繰出ロール８４を駆動するモーター１０１は、横軸繰出ロール８４の後側の側板７７に取付け、前記横軸繰出ロール８４の前方の側板７７の前縁は、横軸繰出ロール８４前側および掻出用ナイフを取付けうる範囲で可及的に横軸繰出ロール８４に接近させると共に、前記種子供給ホッパー７８の前側誘導板８０の下面に合わせて傾斜させ、側面視において横軸繰出ロール８４の前方に空間部１０３を形成し、前記種子供給装置７５の下手側の移送台１には種子落とし回転ブラシ１０５を設け、種子供給装置７５と種子落とし回転ブラシ１０５との間には前記移送台１に設けた移送ローラ２を駆動させる搬送モータ１１０を設け、該搬送モータ１１０は移送台１の内側の移送ローラ２の上面より低い位置に取付けると共に、防水仕様に構成した播種装置。
【発明の詳細な説明】
【技術分野】
【０００１】
本発明は、育苗容器に種子を供給する播種装置に関するものである。
【背景技術】
【０００２】
従来、育苗箱を始端部より終端部に移送する移送台上に、上部に設けた種子供給ホッパーと、該種子供給ホッパーの下方位置に設けた横軸繰出ロール８４を有する種子供給装置を設け、前記横軸繰出ロールの外周面には、母線方向に平行な横条溝形状の繰出凹部を所望の間隔をおいて全周に形成し、母線方向に対して交差方向のスリットを所定間隔を全周に設け、該スリットには掻出用ナイフを嵌合させ、前記横軸繰出ロールの後面には繰出凹部に嵌合した種子を上方位置から下方位置まで誘導する種子誘導カバーを設け、前記種子供給ホッパーの下部は漏斗状に構成した播種装置は、公知である（特許文献１参照）
【特許文献１】特開平７−１３５８０５号公報
【発明の開示】
【発明が解決しようとする課題】
【０００３】
前記公知例は、一旦、種子供給ホッパーに供給した種子は、横軸繰出ロールを回転させて播種させないと、回収できない点に、課題がある。
即ち、予定数の育苗容器に播種した後に、種子供給ホッパー内の残留種子を回収するには、横軸繰出ロールを回転させて育苗容器の代わりに回収容器に種子を落下させるので、非常に面倒であった。同様に、品種の相違する種子に切替えるために、種子供給ホッパー内の残留種子の回収も面倒であった。
本願は、種子供給ホッパー内の残留種子の回収を容易にすると共に、種子供給装置の構成を工夫して、播種作業を直接視認できるようにしたものである。
【課題を解決するための手段】
【０００４】
本発明は、育苗箱２を始端部より終端部に移送する移送台１上に、上部前側に設けた種子供給ホッパー７８と、該種子供給ホッパー７８の下方位置に設けた横軸繰出ロール８４を有する種子供給装置７５を設け、前記横軸繰出ロール８４の外周面には、母線方向に平行な横条溝形状の繰出凹部８５を所望の間隔をおいて全周に形成し、母線方向に対して交差方向のスリット８６を所定間隔をおいて全周に設け、該スリット８６には掻出用ナイフ８７を嵌合させ、前記横軸繰出ロール８４の後面には繰出凹部８５に嵌合した種子を上方位置から下方位置まで誘導する種子誘導カバー９９を設け、前記種子供給ホッパー７８の下部は漏斗状に後側誘導板７９と前側誘導板８０により倒八状に形成し、前記後側誘導板７９の下端は、前側誘導板８０に対して所定間隔をおいて設けてホッパー供給口８１を形成し、前記前側誘導板８０の先端は横軸繰出ロール８４の外周面に所定間隔をおいて接近させ、前側誘導板８０の上面と横軸繰出ロール８４の外周面とにより形成した空間を、前記繰出凹部８５に種子が嵌合する種子溜り部８９に形成し、該種子溜り部８９には開口部９０を形成し、該開口部９０を開閉するシャッタ９１を設け、前記開口部９０の下方には開口部９０から排出された残留種子を、前記横軸繰出ロール８４の下方の移送台１に設けた種子回収容器９８に誘導する排出誘導体９３を設けた播種装置としたものである。
本発明は、前記開口部９０は前記前側誘導板８０の先端と横軸繰出ロール８４の外周面との間に形成した播種装置としたものである。
本発明は、前記シャッタ９１は、横軸繰出ロール８４に対して遠近調節自在であって前記前側誘導板８０の下面に着脱自在に取付ノブ９２により取付けた播種装置としたものである。
本発明は、前記排出誘導体９３は、板部材により前記種子供給装置７５の左右の側板７７の間の全幅一杯に取付け、排出誘導体９３は、その上部を上方に至るに従い前側となる上側傾斜部９４に形成し、該上側傾斜部９４の下部には横軸繰出ロール８４の外周面に対して所定の間隔おいて位置する縦板部９５を形成し、該縦板部９５と横軸繰出ロール８４の外周面の間に誘導路９６を形成し、前記縦板部９５の下部は後下がりの下側傾斜部９７に形成した播種装置としたものである。
本発明は、前記上側傾斜部９４の上端は、前記開口部９０から落下する種子を誘導路９６に誘導しうる範囲で可及的に前記前側誘導板８０より離して配置した播種装置としたものである。
本発明は、横軸繰出ロール８４を駆動するモーター１０１は、横軸繰出ロール８４の後側の側板７７に取付け、前記横軸繰出ロール８４の前方の側板７７の前縁は、横軸繰出ロール８４前側および掻出用ナイフを取付けうる範囲で可及的に横軸繰出ロール８４に接近させると共に、前記種子供給ホッパー７８の前側誘導板８０の下面に合わせて傾斜させ、側面視において横軸繰出ロール８４の前方に空間部１０３を形成し、前記種子供給装置７５の下手側の移送台１には種子落とし回転ブラシ１０５を設け、種子供給装置７５と種子落とし回転ブラシ１０５との間には前記移送台１に設けた移送ローラ２を駆動させる搬送モータ１１０を設け、該搬送モータ１１０は移送台１の内側の移送ローラ２の上面より低い位置に取付けると共に、防水仕様に構成した播種装置としたものである。
【発明の効果】
【０００５】
請求項１の発明では、シャッタ９１により種子溜り部８９の開口部９０を開放すると、開口部９０から排出された残留種子を、排出誘導体９３により種子回収容器９８に誘導して回収でき、横軸繰出ロール８４を回転させて排出するのに比し、回収時間を著しく短縮でき、作業効率を向上させることができる。
請求項２の発明では、前側誘導板８０の先端を、横軸繰出ロール８４の外周面に対して離すことにより開口部９０を形成でき、非常に簡素な構成にできる。
請求項３の発明では、シャッタ９１の開閉を、前側誘導板８０の下面に着脱自在に取付けることにより実現でき、非常に簡素な構成にできる。
請求項４の発明では、開口部９０から排出された残留種子の誘導路９６を、横軸繰出ロール８４の外周面と排出誘導体９３とにより形成するので、部品点数が少なく、簡素な構成にできる。
請求項５の発明では、開口部９０の下方に排出誘導体９３を設けた構成でありながら、前側誘導板８０より排出誘導体９３を離して配置することで、シャッタ９１の着脱を容易にでき、合理的な構成にできる。
請求項６の発明では、種子供給装置７５と種子落とし回転ブラシ１０５との間に播種状態を視認できる空間ぶ１０３を形成でき、操作性を向上させることができる。
【発明を実施するための最良の形態】
【０００６】
本発明の実施例を図面により説明すると、１は育苗容器Ａを移送する移送台、２は移送台１に設けた育苗容器Ａを移送する移送ロール、３は床土供給装置である。床土供給装置３は公知の構成であり、上部に床土供給ホッパー４を設け、床土供給ホッパー４の下方に床土繰出ベルト５を設けて構成する。
床土供給装置３の移送方向下手側の前記移送台１には、床土均平装置６を設ける。床土均平装置６は前後一対の前側回転ブラシ７と後側回転ブラシ８とを設けて構成する。前後側回転ブラシ７、８は前記育苗容器Ａに余分に供給した床土９を所定量掻取りながら均平するものである。
【０００７】
前記前側（上手側）回転ブラシ７は、その前側ブラシ回転軸１２の両端を左右一対の前側アーム１３に軸装し、前側アーム１３の基部は前側基部回転軸１４により移送台１に回動自在に取付ける。同様に、後側（下手側）回転ブラシ８は、その後側ブラシ回転軸１５の両端を左右一対の後側アーム１６に軸装し、後側アーム１６の基部は後側基部回転軸１７により移送台１に回動自在に取付ける。
【０００８】
しかして、前側回転ブラシ７および後側回転ブラシ８には、高さ調節装置２０を設ける。高さ調節装置２０は、移送台１に左右のフレーム側板２１を設け、フレーム側板２１の上方にカバー２２を設けて構成している。フレーム側板２１には前記前側ブラシ回転軸１２および後側ブラシ回転軸１５を挿通する挿通孔２３を形成し、挿通孔２３は高さの相違する育苗容器Ａに合わせて前後側回転ブラシ７、８が上下するのを許容する。
フレーム側板２１より側方に突出する前側回転ブラシ７の前側ブラシ回転軸１２の両端には牽引支持部材２４の下部を夫々取付け、各牽引支持部材２４の上部には調節螺子軸２５の下部を螺合させる。２６は牽引支持部材２４に溶接固定した螺合用ナットであり、調節螺子軸２５を回転させると、牽引支持部材２４は調節螺子軸２５に対して上下動する。
【０００９】
調節螺子軸２５の上部は左右方向の連結軸２７に回転自在に取付ける。２８は調節螺子軸２５の上端に設けたダイヤル、２９は連結軸２７の下方の調節螺子軸２５に設けた係合用ナットであり、係合用ナット２９によりダイヤル２８を持ち上げると、連結軸２７が上動する。また、前記螺合用ナット２６の下方の調節螺子軸２５にはロック用ナット３０を螺合させている。
前記牽引支持部材２４には前記移送台１等の固定部との間にバネ３１を設け、常時牽引支持部材２４を下方に牽引するように付勢する。
【００１０】
しかして、前記フレーム側板２１の上縁には、前記連結軸２７を係合させる切替用係合段部３２を複数円弧上に配置形成し、複数ある切替用係合段部３２のうち何れかに選択係合させる。
この場合、前記切替用係合段部３２のうち、前記ブラシ回転軸後側ブラシ回転軸１５の鉛直上に連結軸２７が位置する中央切替用係合段部３２ａを基準段部とし、この状態で左右の調節螺子軸２５を回転させて前側回転ブラシ７の下端を育苗容器Ａの前壁３３の上面に接触させ、掻取り量を「零」にし、中央切替用係合段部３２ａの前後側に、順に低い切替用係合段部３２を形成し、この切替用係合段部３２に連結軸２７を係合させて前側回転ブラシ７の下端を育苗容器Ａの前壁３３上面より下方に位置させて、床土を所定量掻き取る。
【００１１】
即ち、中央切替用係合段部３２ａに係合状態において、前側回転ブラシ７の下端を育苗容器Ａの前壁３３の上面に接触させて掻取り量を「零」の初期状態とし、他の切替用係合段部３２に選択係合させると、育苗容器Ａの前壁３３の上面から７〜１５mm所望高さ分前側回転ブラシ７の下端を下降させて、床土を所定量掻き取り可能となる。
この場合、前側ブラシ回転軸１２は、前側基部回転軸１４を中心とする後側アーム１６が回動する円弧線上であって、しかも、連結軸２７を中心とする牽引支持部材２４が回動する円弧線上を移動するから、高さ調節に際してブラシ回転軸後側ブラシ回転軸１５の上下量と、各切替用係合段部３２の段差量とが一致しない。
【００１２】
そのため、前記切替用係合段部３２のうち、前記前側ブラシ回転軸１２と連結軸２７とが鉛直上に位置する中央切替用係合段部３２ａを基準段部とし、この状態で左右の調節螺子軸２５を回転させて前側回転ブラシ７の下端を育苗容器Ａの前壁３３の上面に接触させ、掻取り量を「零」になるように調節し、この中央切替用係合段部３２ａの前後側に、中央切替用係合段部３２ａより順に低い切替用係合段部３２を形成して、他の切替用係合段部３２に選択係合させる。
したがって、「零設定」の中央切替用係合段部３２ａより低い切替用係合段部３２に選択係合させることにより、前側回転ブラシ７の下端を育苗容器Ａの前壁３３上面より下方に位置させて、床土を所定量掻き取る。
【００１３】
この場合、実施例の切替用係合段部３２は、中央切替用係合段部３２ａを基準に前後側の交互に低くくなるように形成しているから、前側基部回転軸１４と連結軸２７の２点を中心とする円弧移動するブラシ回転軸後側ブラシ回転軸１５の移動量の変化を最小にして、掻取り量の設定の精度を向上させる。即ち、一例として、７mm、１０mm、１２mm、１５mmの４段階の切替用係合段部３２を形成する場合、側面視、後側より１５mm（第四切替用係合段部３２ｅ）、１２mm（第三切替用係合段部３２ｄ）、０mm（中央切替用係合段部３２ａ）、７mm（第一切替用係合段部３２ｂ）、１０mm（第二切替用係合段部３２ｃ）の順に形成しているから、各切替用係合段部３２の間のずれも小さくなる。
なお、側面視、１５mm（第四切替用係合段部３２ｅ）、１０mm（第二切替用係合段部３２ｄ）、０mm（中央切替用係合段部３２ａ）、７mm（第一切替用係合段部３２ｂ）、１２mm（第三切替用係合段部３２ｃ）の順に形成してもよい。
【００１４】
しかして、高さ調節装置２０は、前記前側回転ブラシ７の高さを調節すると、自動的に後側回転ブラシ８の高さ調節を行えるようにすると共に、単独で後側回転ブラシ８の高さ調節も可能となるように構成する。後側回転ブラシ８に関する高さ調節装置２０は、フレーム側板２１より側方に突出するブラシ回転軸後側ブラシ回転軸１５の両端に連動杆３５の後端を回動自在に軸着し、連動杆３５の前端は前側ブラシ回転軸１２に回動自在に軸着して構成する。
即ち、連動杆３５と移送台１と前側アーム１３および後側アーム１６によりリンク機構を構成して、左右のダイヤル２８により連結軸２７を上下動させて切替用係合段部３２に選択係合させると、前側ブラシ回転軸１２が上下して前側回転ブラシ７の高さ調節でき、前側ブラシ回転軸１２の上下は連動杆３５により連動して後側ブラシ回転軸１５を上下させるから、後側回転ブラシ８の掻取り量を切替える。
【００１５】
同様に、ダイヤル２８により前側回転ブラシ７の高さの微調節すると、連動して後側回転ブラシ８の高さも微調節される。
この場合、前記連動杆３５は，前側連動杆３５Ａと後側連動杆３５Ｂとに前後に分割形成し、取付軸３６により長さ調節自在に前側連動杆３５Ａと後側連動杆３５Ｂとを連結するように構成し、取付軸３６により連動杆３５の長短を調節すると、後側回転ブラシ８の単独の高さ調節可能となる。
即ち、土の性状、供給量、掻取り量等の諸条件によっては、前側回転ブラシ７と後側回転ブラシ８とを相対的に高低に切替えることで、掻取り精度および均平精度を向上させられることがあり、どのように高さ設定するかは本願の要件ではない。
３７は前側連動杆３５Ａに設けた長孔、３８は後側連動杆３５Ｂに設けた螺子孔、３９はガイド兼ストッパである。
【００１６】
しかして、前側回転ブラシ７および後側回転ブラシ８は、前側ブラシ回転軸１２および後側ブラシ回転軸１５の左右何れか一端にブラシ歯車４０を設け、該ブラシ歯車と移送台１の回転軸（移送ロール２の回転軸）１４、１７の夫々に設けたブラシ伝達用歯車４１との間にチエン（図示省略）を掛け回して駆動回転させる。
しかして、牽引支持部材２４はバネ３１により常時下方に牽引されているから、調節螺子軸２５を回転させて牽引支持部材２４を下げると、牽引支持部材２４はバネ３１の弾力により下降し、反対に、調節螺子軸２５を逆回転させると、牽引支持部材２４をバネ３１の弾力に抗して上動させる。
この場合、牽引支持部材２４の上部に調節螺子軸２５の下部を螺合させているから、ダイヤル２８を回転させると、調節螺子軸２５に対して牽引支持部材２４は上下する。
【００１７】
また、連結軸２７の下方の調節螺子軸２５には係合用ナット２９を設けているから、ダイヤル２８を持ち上げると、係合用ナット２９により連結軸２７を上動させ、連結軸２７だけでなく、左右のダイヤル２８によっても連結軸２７を持ち上げて他の切替用係合段部３２に係合させて、前後側回転ブラシ７、８の掻取り量を変更できる。
また、牽引支持部材２４に固定の螺合用ナット２６の下方の調節螺子軸２５にはロック用ナット３０を螺合させているから、一旦調節すると、狂いが生じない。
また、フレーム側板２１に設けた前後側ブラシ回転軸１２、１５を挿通する挿通孔２３は、前側基部回転軸１４、１７を中心とする円弧形状に形成すると、ブラシ回転軸１２、１５の上下を円滑にして好適である。
【００１８】
以上のように、フレーム側板２１と前後側ブラシ回転軸１２、１５との間に、高さ調節装置２０を設け、高さ調節装置２０は連結軸２７とダイヤル２８とバネ３１とフレーム側板２１の上縁に設けた複数の切替用係合段部３２と連動杆３５により構成される。
しかして、前側回転ブラシ７の下手側には、灌水装置４５を設ける。灌水装置４５は、前後一対の灌水横筒部４６に所定間隔を置いてノズル孔４７を形成し、灌水横筒部４６の一端は栓４８により閉塞し、他端は連結パイプ４９に着脱および回転自在に取付ける。連結パイプ４９は、前後中央位置に立ち上がり筒部５０を連結し、立ち上がり筒部５０には上側横筒部５１の一端を接続する。上側横筒部５１には、水量計（圧力計）５２と調節バルブ５３と自動開閉バルブ５４とリリーフ弁５５とホース接続部５６を設けている。ホース接続部５６には水源（図示省略）に接続したホース（図示省略）を接続する。５６Ａは、薬剤を入れたタンク（図示省略）に接続したホース（図示省略）を接続する薬剤吸引部である。
【００１９】
灌水装置４５は、一対の灌水横筒部４６と連結パイプ４９と立ち上がり筒部５０と上側横筒部５１により灌水パイプ５７を構成し、灌水パイプ５７は前記移送台１に設けた灌水フレーム５８に着脱自在に取付けて構成する。灌水フレーム５８は、左右一対の板部材により形成した中央フレーム５９の上面前後中間位置に、灌水パイプ５７の上側横筒部５１を支持する中央支持部６０を設ける。中央フレーム５９の前後両側にはアーム部６１を設け、アーム部６１には灌水パイプ５７の灌水横筒部４６を支持する灌水筒支持部６２を設ける。
灌水パイプ５７は、灌水パイプ５７の各部を灌水フレーム５８の中央支持部６０と灌水筒支持部６２に載置し、この灌水パイプ５７の上方にカバー６５を載置して、カバー６５を灌水フレーム５８に止着具６６により固定して取付ける。
【００２０】
したがって、灌水パイプ５７を灌水フレーム５８に載せてカバー６５により押えるだけであるから、灌水パイプ５７は灌水フレーム５８とカバー６５により上下に挟持されることになり、簡単な支持構成でありながら着脱が容易になる。
それゆえ、カバー６５は、灌水パイプ５７を上方から押えらことができる形状であればよく、上側横筒部５１に当接する上部天板６７と上部天板６７に連設する灌水横筒部４６の上面に当接するノズル当接部６８と、前記水量計５２等を回避する開口窓部６９を有して構成していればよい。開口窓部６９は水量計５２を避けて上方に抜くように外せる大きさに形成する。７０は灌水フレーム５８に設けた止着具６６が螺合するナットである。
また、灌水装置４５は、育苗容器Ａの床土に灌水するものであるが、灌水横筒部４６を連結パイプ４９に対して回転させることによりノズル孔４７を斜めにして、潅水用の水を後向きに噴射させることによりの育苗容器Ａの後壁７１の隅の床土Ｋを均平する作用を期待する。
したがって、育苗容器Ａの後壁７１の隅の床土Ｋは灌水装置４５の灌水により均平するように構成し、灌水装置４５は隅取り均平装置を兼用する。
７２は育苗容器Ａの前壁３３の隅の床土Ｋを均平する前壁隅取り均平装置である。
【００２１】
しかして、灌水装置４５の下手側には、種子供給装置７５を設ける。種子供給装置７５は、前記移送台１の上方に上下自在に設けた側板７７に、種子供給ホッパー７８を着脱自在に取付ける。図示は省略するが、種子供給ホッパー７８の上方に補助ホッパーを設けることもある。
種子供給ホッパー７８の下部は漏斗状に後側誘導板７９と前側誘導板８０を設ける。後側誘導板７９の下端は、前側誘導板８０に対して所定間隔を置いて設けてホッパー供給口８１を形成する。前記後側誘導板７９の下面には前記ホッパー供給口８１の開口量を調節する供給量調節板８２を移動自在に取付ける。８３は供給量調節板８２を移動調節させる調節ダイヤルである。
前側誘導板８０の先端近傍には、種子を繰出す軸心が左右方向の大径の横軸繰出ロール８４を設ける。横軸繰出ロール８４の外周面には、母線方向（左右方向）に平行な横条溝形状の繰出凹部８５を所望の間隔をおいて全周に形成する。繰出凹部８５は円周方向に種子が横向き１列または２列程度に嵌合する幅に形成される。横軸繰出ロール８４の外周面には母線方向（左右方向）に一粒の種子の横向きの幅より短かい間隔をおいてスリット８６を全周に設ける。スリット８６の深さは繰出凹部８５と略同じか若干深く形成し、各スリット８６には掻出用ナイフ８７を嵌合させる。
【００２２】
前記横軸繰出ロール８４の上方位置（正確には横軸繰出ロール８４の真上よりも稍後側）には回転均平ブラシ８８を設け、回転均平ブラシ８８は任意の手段により駆動回転させて繰出凹部８５に嵌合しないで横軸繰出ロール８４と共回りする過剰種子を、前記供給口ホッパー供給口８１側の種子溜り部８９へ掃き戻す。
しかして、種子溜り部８９は、前側誘導板８０の上面と横軸繰出ロール８４の外周面との空間に形成され、この種子溜り部８９に所定量の種子を滞留させることにより、横軸繰出ロール８４の繰出凹部８５への種子の嵌合を確実にしている。
この種子溜り部８９には、開口部９０を形成し、開口部９０にはシャッタ９１を設ける。シャッタ９１は、横軸繰出ロール８４に対して遠近調節自在で且つ着脱自在に取付ノブ９２により前側誘導板８０の下面に取付ける。
【００２３】
開口部９０の下方には排出誘導体９３を設ける。排出誘導体９３は、板部材により形成し、種子供給装置７５の左右の側板７７の間の全幅一杯に取付ける。排出誘導体９３は、上部には上方に至るに従い前側となるように前上りの上側傾斜部９４を設け、上側傾斜部９４の下部には横軸繰出ロール８４の外周面に対して所定の間隔おいて位置する縦板部９５を形成し、縦板部９５と横軸繰出ロール８４の外周面の間に誘導路９６を形成する。縦板部９５の下部は後下がりの下側傾斜部９７に形成し、誘導路９６から種子供給装置７５の下方の移送台１に設けた種子回収容器９８（箱）に種子の落下を誘導する。
排出誘導体９３は、種子溜り部８９に残留した残留種子を排出するときに、種子供給装置７５の周囲に飛散するのを防止するために設けたものであり、前記縦板部９５の上端は、シャッタ９１の着脱を容易にするために開口部９０から落下する種子が誘導路９６に誘導しうる範囲で可及的に前側誘導板８０より離して配置すると、残留種子の飛散を防止すると共に、残留種子排出作業を容易にして、好適である。
【００２４】
９９は、前記横軸繰出ロール８４の後面に設けられ、繰出凹部８５に嵌合した種子を上方位置から下方位置まで傷めないように誘導する種子誘導カバー、１００は横軸繰出ロール８４の高さを移送台１に対して上下させた高さ調節する播種部高さ調節機構、１０１はモーター、１０２は種子受け容器である。
この場合、モーター１０１は横軸繰出ロール８４の後側の側板７７に取付け、側板７７の横軸繰出ロール８４部分は、横軸繰出ロール８４と略同じ幅に形成し、種子供給ホッパー７８はフレーム７６の側板７７の前側上部に設け、側板７７の下縁を前側誘導板８０の下面に合わせて傾斜させ、側面視において横軸繰出ロール８４の前側は側板７７の無い空間部１０３を形成する。
この空間部１０３により、育苗容器Ａへの播種状態が視認でき、作業を容易にする。
【００２５】
しかして、種子供給装置７５の下手側には種子落とし回転ブラシ１０５を設ける。種子落とし回転ブラシ１０５はフレーム１０６に軸装し、移送ローラ２の回転を伝達して駆動回転させる。
この回転ブラシ１０５と種子供給装置７５の間の前記空間部１０３に移送ローラ２を駆動させる搬送モータ１１０を設ける。搬送モータ１１０は防水仕様に形成し、移送ローラ２の上面より下方で内側に突き出るように移送台１の内面に取付ける。搬送モータ１１０の上方にはカバー１１１を設ける。
即ち、従来は移送台１の上面に搬送モータ１１０を設けているため、移送台１の全長を長くしていたが、移送ローラ２の上面より下方の移送台１に取付けているから、移送台１の上面のスペースに床土均平装置６等を合理的配置して移送台１全体の長さを短くする。
【００２６】
また、回転ブラシ１０５と種子供給装置７５の間の空間部１０３に搬送モータ１１０を設けているので、合理的配置となる。即ち、空間部１０３は、床土均平装置６や灌水装置４５の下方と相違して、落下するのは灌水時の余分な水が僅かに水滴となって落下するぐらいであって、最も落下物が少ない場所であり、ここに、搬送モータ１１０を設けているので、空間部１０３を広くしつつ搬送モータ１１０の設置スペースも確保でき、空間を有効利用した合理的構成となる。
しかして、回転ブラシ１０５の下手側には覆土供給装置１１５を設ける。覆土供給装置１１５は公知の構成であり、上部に供給ホッパー１１６を設け、供給ホッパー１１６の下方に覆土繰出ベルト１１７を設けて構成する。覆土供給装置１１５の下手側には覆土均平ブラシ１１８を設ける。
【００２７】
（実施例の作用）
前側回転ブラシ７の前側ブラシ回転軸１２に取付けた牽引支持部材２４に設けた調節螺子軸２５を連結する連結軸２７を、何れかの切替用係合段部３２に連結軸２７を係合させた状態で、左右の調節螺子軸２５を回転させて前側回転ブラシ７の下端を育苗容器Ａの前壁３３の上面に接触させ、掻取り量を「零」にし、次ぎに、ダイヤル２８または連結軸２７を持って、上方に持ち上げて前記切替用係合段部３２より低い他の切替用係合段部３２に連結軸２７を係合させると、最初の切替用係合段部３２と次ぎの切替用係合段部３２の高さ分だけ、牽引支持部材２４は下降し、これによりブラシ回転軸後側ブラシ回転軸１５も下降し、前側回転ブラシ７は所定高さに設定される。
この状態で、床土を供給した育苗容器Ａを移送台１に供給すると、移送ロール２により移送されて、前側回転ブラシ７の下方を通過するとき、所定量掻き取られる。
【００２８】
しかして、掻取り量を変更するときは、連結軸２７を複数ある切替用係合段部３２のうち他の切替用係合段部３２に係合させると、これにより連結軸２７は調節螺子軸２５を上下させ、調節螺子軸２５は牽引支持部材２４を上下させ、牽引支持部材２４は前側ブラシ回転軸１２を上下させて、前側回転ブラシ７の高さを変更し、掻取り量を変更する。
また、高さの相違する育苗容器Ａを使用するときは、前記したように、何れかの切替用係合段部３２に連結軸２７を係合させた状態で、左右の調節螺子軸２５を回転させて前側回転ブラシ７の下端を育苗容器Ａの前壁３３の上面に接触させ、掻取り量を「零」にし、次ぎに、ダイヤル２８または連結軸２７を持って、上方に持ち上げて前記切替用係合段部３２より低い他の切替用係合段部３２に連結軸２７を係合させて、前側回転ブラシ７を所定高さに設定する。
【００２９】
しかして、前後側回転ブラシ７、８を前後に並設しているから、後側回転ブラシ８の先端に付着して共回りした土塊は前側回転ブラシ７により均平するので、美麗な仕上がりになるが、後側回転ブラシ８の場合の高さ調節は、非常に面倒であった。
即ち、前方から後側回転ブラシ８の下端と育苗容器Ａの壁面との接触状態を見て行う後側回転ブラシ８の高さ調節を行うには、前側回転ブラシ７が邪魔になり、後側から後側回転ブラシ８の下端を見るには床土供給装置３の床土繰出ベルトの下方から覗いて行うしかなく、非常に面倒であった。
本願では、前側回転ブラシ７の高さを調節すると、自動的に後側回転ブラシ８の高さ調節を行えるようにすると共に、単独で後側回転ブラシ８の高さ調節も可能となるように構成しているから、前側回転ブラシ７の高さを調節するだけで連動して後側回転ブラシ８の高さ調節ができ、操作性が向上する。
【００３０】
即ち、フレーム側板２１より側方に突出する後側ブラシ回転軸１５の両端には連動杆３５の後端を回動自在に軸着し、連動杆３５の前端は前側ブラシ回転軸１２に回動自在に軸着しているから、連動杆３５と移送台１と前側アーム１３および後側アーム１６によりリンク機構を構成することになり、左右のダイヤル２８により連結軸２７を上下動させて切替用係合段部３２に選択係合させると、前側ブラシ回転軸１２が上下して前側回転ブラシ７の高さ調節でき、前側ブラシ回転軸１２の上下は連動杆３５により連動して後側ブラシ回転軸１５を上下させるから、前側ブラシ回転軸１２に連動して後側回転ブラシ８の掻取り量を切替える。
【００３１】
同様に、ダイヤル２８により前側回転ブラシ７の高さの微調節すると、連動して後側回転ブラシ８の高さも微調節される。
この場合、前記連動杆３５は前後に分割形成し、取付軸取付軸３６により長さ調節自在に連結するように構成しているから、連動杆３５の長さを取付軸３６により変更調節すると、後側回転ブラシ８の単独の高さ調節可能となる。即ち、連動杆３５の長さを長くすると、後側回転ブラシ８は高くなり、連動杆３５の長さを短くすると、後側回転ブラシ８は低くなる。
しかして、前側回転ブラシ７の下手側には灌水装置４５を設け、灌水装置４５の灌水パイプ５７は前後一対の灌水横筒部４６の上方中央に上側横筒部５１を設けて構成しているから、灌水装置４５の前後長さは灌水横筒部４６を設けるのに必要な長さがあればよく、灌水装置４５の前後長さを可及的に短く形成でき、移送台１の長さ全体を短くできる。
【００３２】
また、灌水装置４５は、灌水横筒部４６と上側横筒部５１により、側面視、上側横筒部５１を頂点とした三角形となり、この上側横筒部５１に水力計（圧力計）５２と調節バルブ５３と自動開閉バルブ５４とリリーフ弁５５とホース接続部５６の全てを設けているから、この点でも、灌水装置４５の前後長さを可及的に短く形成できる。
そのため、灌水フレーム５８は、板部材により形成した中央フレーム５９の前後両側にアーム部６１を設ければよく、灌水フレーム５８は側面視略灌水パイプ５７の前後長さ内に納めることができ、この点でも、灌水装置４５の前後長さを可及的に短く形成できる。
また、灌水パイプ５７は、その灌水横筒部４６と上側横筒部５１とを灌水フレーム５８の中央支持部６０と灌水筒支持部６２に載置し、灌水パイプ５７の上方からカバー６５を載置して、カバー６５を灌水フレーム５８に止着具６６により固定して取付けるから、灌水パイプ５７の着脱は頗る容易にできる。
【００３３】
したがって、灌水パイプ５７を灌水フレーム５８に載せてカバー６５により押えるだけであるから、灌水パイプ５７は灌水フレーム５８とカバー６５により上下に挟持されることになり、簡単な支持構成でありながら着脱が容易になる。
この場合、灌水装置４５の灌水横筒部４６は連結パイプ４９に対して回転自在に取付けているから、灌水装置４５は育苗容器Ａの床土に灌水するものでありながら、潅水用の水を後向きに噴射する角度に調節すると、育苗容器Ａの後壁７１の隅の床土Ｋを灌水用の水が均平して後壁７１の隅取り均平装置の作用を期待できる。
即ち、単に、鉛直方向に灌水したのでは、隅の床土Ｋに当たる灌水量が少ないので崩れないが、本願では灌水横筒部４６は連結パイプ４９に対して回転させてノズル孔４７の向きを斜め後側にできるので、斜めの灌水が後壁７１に当たって集まって隅の床土Ｋを押し込んで平にして、隅取りができる。
したがって、灌水装置４５は後壁用隅取り均平装置を兼用するので、移送台１に設ける後壁用隅取り均平装置を省略でき、移送台１全体の前後長さを可及的に短く形成できる。
【００３４】
種子供給装置７５の下方に育苗容器Ａが至ると、種子の供給を受ける。
種子供給装置７５は、種子供給ホッパー７８に種子を投入すると、横軸繰出ロール８４の繰出凹部８５に種子が嵌合し、回転均平ブラシ８８の下方にあった余剰の種子は種子溜り部８９に戻され、また、繰出凹部８５に嵌合したまま横軸繰出ロール８４の回転により上昇して回転均平ブラシ８８の下方を通過し、種子誘導カバー種子誘導カバー９９により横軸繰出ロール８４の下方迄誘導されて落下して、育苗容器Ａに播種する。
この場合、種子溜り部８９は、後側誘導板７９より先端側の前側誘導板８０の上面と、横軸繰出ロール８４の外周面との空間に形成され、この種子溜り部８９に所定量の種子を滞留させることにより、横軸繰出ロール８４の繰出凹部８５への種子の嵌合を確実にしている。
【００３５】
この種子溜り部８９には、開口部９０を形成し、開口部９０にはシャッタシャッタ９１を遠近調節自在で且つ着脱自在に取付ているから、シャッタ９１を取り外して開口部９０を開口させると、種子溜り部８９にある残留種子を簡単に排出させることができ、播種作業終了後のメンテナンスや、品種等の種子の切替交換作業を頗る容易にできる。
この場合、種子溜り部８９の開口部９０は、前側誘導板８０の先端を、横軸繰出ロール８４の外周面より所定間隔置いて配置して構成し、前側誘導板８０の下面にシャッタ９１を設け、シャッタ９１の先端を横軸繰出ロール８４の外周面に接近させて種子溜り部８９を形成しているから、シャッタ９１を開口部９０および種子溜り部８９の構成部材の一部構成することができ、合理的な構成となる。
【００３６】
しかして、開口部９０の下方には、上部には上方に至るに従い前側となる前上りの傾斜の上側傾斜部９４と、上側傾斜部９４の下部の横軸繰出ロール８４の外周面に対して所定の間隔おいて位置する縦板部９５とにより形成した排出誘導体９３を設けているから、シャッタ９１により開口部９０を開口させると、種子溜り部８９にある残留種子は上側傾斜部９４に誘導されて縦板部９５と横軸繰出ロール８４の間の誘導路９６に入り種子供給装置７５の下方の移送台１に設けた種子受け体（箱）種子回収容器９８に回収される。
この場合、縦板部９５の上端は、シャッタ９１の着脱を容易にするために開口部９０から落下する種子が誘導路９６に誘導しうる範囲で可及的に前側誘導板８０の下面より離して配置しているから、残留種子の飛散を防止すると共に、残留種子排出作業を容易にして、好適である。
しかして、種子供給装置７５は、モーター１０１を横軸繰出ロール８４の後側の側板７７に取付け、側板７７の横軸繰出ロール８４部分は、横軸繰出ロール８４と略同じ幅に形成し、種子供給ホッパー７８の前側誘導板８０の下面より下方は側板７７を設けずに空間部１０３を形成しているから、種子供給装置７５の下手側の回転ブラシ１０５との間の空間部１０３を広くでき、空間部１０３から育苗容器Ａへの播種状態が視認でき、作業を容易にする。
【図面の簡単な説明】
【００３７】
【図１】播種装置全体側面図。
【図２】土均平装置の側面図。
【図３】同縦断正面図。
【図４】同斜視図。
【図５】同フレーム側板の一部側面図。
【図６】同高さ調節装置の一部正面図。
【図７】同調節状態断面図。
【図８】隅取り装置および灌水装置の側面図。
【図９】灌水装置の斜視図。
【図１０】灌水装置による隅取り作用状態図。
【図１１】種子供給装置の側面図。
【図１２】同一部概略側面図。
【図１３】種子供給装置と覆土供給装置の間の空間部の側面図。
【符号の説明】
【００３８】
１…移送台、２…移送ロール、３…床土供給装置、４…床土供給ホッパー、５…床土繰出ベルト、６…土均平装置、８…後側回転ブラシ、７…前側回転ブラシ、９…床土、１５…後側ブラシ回転軸、１６…後側アーム、１７…後側基部回転軸、１２…前側ブラシ回転軸、１３…前側アーム、１４…前側基部回転軸、２０…高さ調節装置、２１…フレーム側板、２２…カバー、２４…牽引支持部材、２５…調節螺子軸、２６…螺合用ナット、２７…連結軸、２８…ダイヤル、２９…係合用ナット、３０…ロック用ナット、３１…バネ、３３…前壁、３５…連動杆、３６…取付軸、３７…長孔、３８…螺子孔、３９…ガイド、４０…ブラシ歯車、４１…ブラシ伝達用歯車、６６…止着具、６７…上部天板、６８…ノズル当接部、６９…開口窓部、７０…ナット、７２…前壁隅取り均平装置、７５…種子供給装置、７７…側板、７８…種子供給ホッパー、７９…後側誘導板、８０…前側誘導板、８１…ホッパー供給口、８２…供給量調節板、８３…調節ダイヤル、８４…横軸繰出ロール、８５…繰出凹部、８６…スリット、８７…掻出用ナイフ、８９…種子溜り部、９０…開口部、９１…シャッタ、９２…取付ノブ、９３…排出誘導体、９４…上側傾斜部、９５…縦板部、９６…誘導路、９８…種子回収容器、９９…種子誘導カバー、１００…播種部高さ調節機構、１０１…モーター、１０２…種子受け容器、１０３…空間部、１０５…回転ブラシ、１０６…フレーム、１１０…搬送モータ、１１１…カバー、１１５…覆土供給装置、１１６…供給ホッパー、１１７…覆土繰出ベルト、
【図１】
0004662836.tif 000002
【図２】
0004662836.tif 000003
【図３】
0004662836.tif 000004
【図４】
0004662836.tif 000005
【図５】
0004662836.tif 000006
【図６】
0004662836.tif 000007
【図７】
0004662836.tif 000008
【図８】
0004662836.tif 000009
【図９】
0004662836.tif 000010
【図１０】
0004662836.tif 000011
【図１１】
0004662836.tif 000012
【図１２】
0004662836.tif 000013
【図１３】
0004662836.tif 000014